(57)【要約】【課題】電子マネーを使用して決済を行った携帯電話機にさまざまな形態で広告を表示させ、より高い広告効果を発揮できるようにする。【解決手段】店舗内に配置されたＰＯＳ端末１００の非接触型ＩＣカードリーダ／ライタ２００に非接触型ＩＣカード４８０を搭載した携帯電話機４００が近接配置され、電子マネーによる商品の決済が行われたとき、ＰＯＳ端末１００から、非接触型ＩＣカード４８０に広告データとこの広告データを表示するためのアプリケーションとを送出し、携帯電話機４００は、アプリケーションを実行することにより前記広告データに基づいて広告表示を行う。【選択図】図１
2009015662.tif 000002
【特許請求の範囲】
【請求項１】
非接触型ＩＣカードリーダ／ライタが接続され、この非接触型ＩＣカードリーダ／ライタに近接配置された非接触型ＩＣカードとなされたデータの授受に基づいて電子マネーによる商品の決済を行うＰＯＳ端末において、
前記非接触型ＩＣカードを搭載する携帯電話機で広告を表示するのに必要な広告データを格納する広告データ格納部と、
前記携帯電話機で前記広告データに基づいて広告を出力するためのアプリケーションを格納するアプリケーション格納部と、
前記広告データ格納部に格納された広告データから前記携帯電話機に表示させる広告を選択する広告決定部と、
前記決定された広告データ及びアプリケーションを前記非接触カードリーダ／ライタに出力するデータ出力部と、
を備えることを特徴とするＰＯＳ端末。
【請求項２】
前記広告決定部は、決済された商品と関連する広告を選択することを特徴とする請求項１記載のＰＯＳ端末。
【請求項３】
音声及び画像のうち少なくとも一つを出力する出力部と、ＰＯＳ端末とのデータの授受により電子マネーによる商品の決済を行う非接触型ＩＣカードとを備えた携帯電話機において、
ＰＯＳ端末から広告データを取得する広告データ取得部と、ＰＯＳ端末からアプリケーションを取得するアプリケーション取得部と、
前記アプリケーションを実行して前記広告データに基づいて前記出力部から出力されるべき出力データを生成するアプリケーション実行部と、
を備えることを特徴とする携帯電話機。
【請求項４】
前記アプリケーション実行部は、電子マネーの残高表示及び履歴表示を含む所定の処理の際にアプリケーションを実行して前記出力部から広告を出力させることを特徴とする請求項３記載の携帯電話機。
【請求項５】
店舗内に配置されたＰＯＳ端末の非接触型ＩＣカードリーダ／ライタに非接触型ＩＣカードを搭載した携帯電話機が近接配置され、電子マネーによる商品の決済が行われたとき、
前記ＰＯＳ端末から、前記非接触型ＩＣカードに広告データとこの広告データを表示するためのアプリケーションとを送出し、
前記携帯電話機は、前記アプリケーションを実行することにより前記広告データに基づいて広告出力を行うことを特徴とする広告配信方法。
【請求項６】
前記携帯電話機は、アプリケーション取得部を動作させて前記ＰＯＳ端末からのアプリケーションを取得することを特徴とする請求項５記載の広告配信方法。
【請求項７】
前記ＰＯＳ端末は、前記携帯電話機が前記アプリケーション取得部を動作させて決済を行ったとき、携帯電話機に優待情報を送出し、携帯電話機はこの優待情報を取得して保持することを特徴とする請求項６記載の広告配信方法。
【請求項８】
前記優待情報は、次回決済時における関連商品の割引情報、及び、優待ポイント付与情報を含むものであることを特徴とする請求項７記載の広告配信方法。
【発明の詳細な説明】
【技術分野】
【０００１】
本発明はＰＯＳ端末、携帯電話機、及び、広告配信方法に係り、特に商品決済を携帯電話機に格納されたＩＣカードを用いて行う電子マネー決済で行うＰＯＳ端末、携帯電話機、及び、広告配信方法に関する。
【背景技術】
【０００２】
近年携帯電話機に電子マネー機能を実現する非接触型ＩＣカードを搭載し、電子的な決済を行うものが普及している。これは例えばソニー社製ＦｅｌｉＣａ（登録商標）等の非接触型ＩＣカードとそのアプリケーションソフトウェアを携帯電話機内に組み込んだもので、買物をするときにこれを店舗内に設置したＰＯＳ端末に接続されたＩＣカードリーダ／ライタにかざすことにより、電子マネーバリューの書き換え通信が行われ、決済がなされる。
【０００３】
また、このような携帯電話機が普及していることをふまえ、ＰＯＳレジから広告データを携帯電話機に配信して、携帯電話機に広告を表示させるものが提案されている。
【０００４】
特許文献１には、店舗内に設置したＰＯＳレジ連携のリーダ／ライタに非接触型ＩＣチップ搭載の携帯電話機をかざして電子マネーの課金通信を行う際にリーダ／ライタから携帯電話機へと広告情報を配信し、この広告情報の配信は、リーダ／ライタ、携帯電話機内の非接触型ＩＣチップ、及び携帯電話機内の非接触型ＩＣチップ制御アプリケーションソフトウェアによる三者間通信にて行われ、また、配信する広告情報は、商品に付されるとともにＰＯＳレジにて読み取られてストアコンピュータへ送信される商品毎の固有情報に応じて予め定めたものをストアコンピュータからＰＯＳレジを介してリーダ／ライタへ送信するものである。
【０００５】
【特許文献１】特開２００７−８７０９６号
【発明の開示】
【発明が解決しようとする課題】
【０００６】
ところで、広告効果が高い広告表示を携帯電話機に送信するＰＯＳ端末が要望される。また、決済時だけでなく、後の機会に広告を表示させたい、また、静止画像だけではなく動画等広告効果が高い広告を表示させたいという要望がある。
【０００７】
しかし、特許文献１に開示の技術は、決済終了直後に携帯電話機に静止画像による広告を表示させるものであり、広告の表示形態が限られてしまうという問題がある。
【０００８】
そこで本発明は、電子マネーを使用して決済を行った携帯電話機にさまざまな形態で広告を表示させ、より高い広告効果を発揮できるようにすることを目的とする。
【課題を解決するための手段】
【０００９】
本発明において、上記の課題を解決するためのＰＯＳ端末は、非接触型ＩＣカードリーダ／ライタと、この非接触型ＩＣカードリーダ／ライタに近接配置された非接触型ＩＣカードとなされたデータの授受に基づいて電子マネーによる商品の決済を行う決済処理部を備えるＰＯＳ端末において、前記非接触型ＩＣカードを搭載する携帯電話機で広告を表示するのに必要な広告データを格納する広告データ格納部と、前記携帯電話機で前記広告データに基づいて広告を出力するためのアプリケーションを格納するアプリケーション格納部と、前記広告データ格納部に格納された広告データから前記携帯電話機に表示させる広告を選択する広告決定部と、前記決定された広告データ及びアプリケーションをデータ前記非接触型ＩＣカードリーダ／ライタに出力するデータ出力部と、を備えることを特徴とする。
【００１０】
また、上記の課題を解決するための携帯電話機は、音声及び画像のうち少なくとも一つを出力する出力部と、ＰＯＳ端末とのデータの授受により電子マネーによる商品の決済を行う非接触型ＩＣカードとを備えた携帯電話機において、ＰＯＳ端末から広告データを取得する広告データ取得部と、ＰＯＳ端末からアプリケーション取得するアプリケーション取得部と、前記アプリケーションを実行して前記広告データに基づいて前記出力部から出力されるべき出力データを生成するアプリケーション実行部と、を備えることを特徴とする。
【００１１】
そして、上記の課題を解決するための広告配信方法は、店舗内に配置されたＰＯＳ端末の非接触型ＩＣカードリーダ／ライタに非接触型ＩＣカードを搭載した携帯電話機が近接配置され、電子マネーによる商品の決済が行われたとき、前記ＰＯＳ端末から、前記非接触型ＩＣカードに広告データとこの広告データを表示するためのアプリケーションとを送出し、前記携帯電話機は、前記アプリケーションを実行することにより前記広告データに基づいて広告表示を行うことを特徴とする。
【発明の効果】
【００１２】
本発明によれば、店舗内に配置されたＰＯＳ端末の非接触型ＩＣカードリーダ／ライタに非接触型ＩＣカードを搭載した携帯電話機が近接配置され、電子マネーによる商品の決済が行われたとき、前記ＰＯＳ端末から、前記非接触型ＩＣカードに広告データとこの広告データを表示するためのアプリケーションとを送出し、前記携帯電話機は、前記アプリケーションを実行することにより前記広告データに基づいて広告を出力させることができるから、電子マネーを使用して決済を行った携帯電話機にさまざまな形態で広告を表示させ、より高い広告効果を発揮できるという効果を奏する。
【発明を実施するための最良の形態】
【００１３】
以下本発明の実施の形態に係る広告配信方法を図面に基づいて説明する。図１は広告配信方法が適用されるＰＯＳシステムを示すブロック図である。
【００１４】
本例に係るシステムでは、店舗にはＰＯＳレジなどのＰＯＳ端末１００が配置されている。ＰＯＳ端末１００には非接触型ＩＣカードとデータの授受を行う非接触型ＩＣカードリーダ／ライタ２００が接続されており、電子マネーシステムで決済を行うことができる。また、ＰＯＳ端末１００は店舗サーバ３００に接続されている。前記ＩＣカードリーダ／ライタ２００は、通常のクレジットカード形態の非接触型ＩＣカードとデータの授受が行われる他、携帯電話機４００に内蔵された非接触型ＩＣカード４８０ともデータの授受を行うものであり、電子マネーシステムで決済を行うことができる。尚、携帯電話機４００には、非接触型ＩＣカード４８０の他、液晶表示装置からなる表示部４１０、テンキー等の入力部４３０が配置されている。
【００１５】
図２はＰＯＳ端末の構成を非接触型ＩＣカードリーダ／ライタ及び店舗サーバと共に示すブロック図である。ＰＯＳ端末１００には、商品の現金決済、クレジットカード決済など通常のＰＯＳレジの機能を果たすＰＯＳレジ機能部１１０を備える他、電子マネー決済処理部１２０を備える。この電子マネー決済処理部１２０は、前記非接触型ＩＣカードリーダ／ライタ２００を介して非接触型ＩＣカードとデータの授受を行い電子マネーシステムでの決済を行う。また、ＰＯＳ端末１００に接続された店舗サーバ３００には、商品の価格等を示す商品データが商品コードに基づいて格納された商品マスタデータ格納部３１０が配置されている。ＰＯＳ端末１００は、図示していないバーコードスキャナなどで読み取った商品コードに基づいて商品マスタデータ格納部３１０を参照して価格などの商品データを取得して決済を行う。
【００１６】
また、ＰＯＳ端末１００には、携帯電話機４００に広告配信を行うため、多数種類の広告についてのデータが格納された広告データ格納部１３０、携帯電話機４００で広告を表示するためのアプリケーションを格納したアプリケーション格納部１４０、購買された商品に基づいて携帯電話機４００に送出する広告を決定する広告決定部１５０、広告データ及びアプリケーションを非接触型ＩＣカードリーダ／ライタ２００に送出するデータ送出部１６０を備える。
【００１７】
広告データ格納部１３０には、携帯電話機４００に表示すべき広告を表示するためのデータが格納されている。送出される広告は購入された商品、購入した客種、購入された時期等に基づいて前記広告決定部１５０で決定される。このため、広告データ格納部１３０には、販売している商品に関連する商品の広告、商品キャンペーンの広告、店舗キャンペーンの広告等多岐に亘る広告が格納される。また、この広告データは、静止画の他、携帯電話で実行される前記アプリケーションによる動画、音声の再生などを行うものとすることができる。
【００１８】
アプリケーション格納部１４０には携帯電話機４００に送出されるアプリケーションの実行データが格納されている。このアプリケーションは、携帯電話機４００で実行され、携帯電話の表示部４１０に広告を表示する。アプリケーションとしてはデータ量が少ないものが好ましく、例えばｊａｖａ等が好適である。
【００１９】
広告決定部１５０は、広告データ格納部１３０が格納している多種類の広告データから携帯電話機４００に送出する広告を決定する。この広告の決定に際しては、購入された商品、購入した客種、購入された時期購入された商品の種類が参考にされ、再度来店や商品購入を促す内容が選択される。
【００２０】
尚、上記例では、ＰＯＳ端末１００に広告データ格納部１３０、アプリケーション格納部１４０、広告決定部１５０を配置するようにしたが、これらは店舗サーバ３００に配置するようにしてもよい。
【００２１】
次に携帯電話機４００について説明する。図３は携帯電話機の構成を示すブロック図である。本例に係る携帯電話機４００は、通常の通話、メール、ウェブ閲覧を実行する携帯電話機能部４７０の他、出力部である表示部４１０、この表示部４１０の表示制御を行う表示制御部４２０、テンキーなどを備えた入力部４３０、前記ＰＯＳ端末１００からの広告データを取得して格納する広告データ取得部４４０、ＰＯＳ端末１００からのアプリケーションを取得して格納するアプリケーション取得部４５０、前記広告データに基づいてアプリケーションを実行して広告表示を出力するアプリケーション実行部４６０を備える。前記広告データ取得部４４０、アプリケーション取得部４５０及びアプリケーション実行部４６０は、携帯電話機能部４７０及び非接触型ＩＣカード４８０とは独立して作動するものであり、これらを動作させるには、予めこれらを動作状態にしておく必要がある。広告データ取得部４４０及びアプリケーション取得部４５０での広告データの所得は取得ソフトウェアを実行して実現する。
【００２２】
また、アプリケーション実行部４６０は、アプリケーション取得部４５０が取得したアプリケーションを実行して、広告データ取得部４４０が取得した広告データに基づいて表示部４１０に表示する表示データを生成する。
【００２３】
前記取得ソフトウェア及び前記アプリケーションは、例えば携帯電話にインストールできるアプリケーションソフト（例えばｉアプリ（登録商標）、ＥＺアプリ（登録商標）、Ｖアプリ（登録商標））等で実現できる。尚、取得された広告データ及びアプリケーションは携帯電話機のデータ格納領域に格納される。
【００２４】
また、携帯電話機４００には、非接触型ＩＣカード４８０が配置され、非接触型ＩＣカード４８０には、この非接触型ＩＣカードを電子マネーシステムで使用するための処理を行う電子マネー制御部４８１、電子マネーカードの残金、使用履歴等を格納する電子マネーデータ格納部４８２、前記非接触ＩＣカードリーダ／ライタ２００とデータの授受を行うカード通信部４８３を備える。この非接触型ＩＣカード４８０の構成については公知である。
【００２５】
尚、広告データ取得部４４０及びアプリケーション取得部４５０のデータの取得には、非接触型ＩＣカード４８０のカード通信部４８３を使用することができる。
【００２６】
次に実施の形態に係る広告配信方法の動作について説明する。図４は広告配信方法におけるＰＯＳ端末と携帯電話機での処理を示すフローチャートである。本例では、購買者は携帯電話機４００を用いて電子マネーシステムで商品を購入する。
【００２７】
商品の購買に際しては、まず、商品に付されたバーコードがＰＯＳ端末１００のバーコードスキャナ（図示していない）で読み取り、商品コードを取得する（ステップＳＴ１１）。ＰＯＳ端末１００は、店舗サーバ３００に商品コードを送出して（ステップＳＴ１２）、店舗サーバ３００は商品マスタデータ格納部３１０を参照して商品の価格等の商品データをＰＯＳ端末１００に送出する（ステップＳＴ１３）。
【００２８】
この間に、商品の購入者は、携帯電話機４００のデータ取得ソフトを作動させた状態（ステップＳＴ２１）で、携帯電話機４００を非接触型ＩＣカードリーダ／ライタ２００にかざすなどして近接配置する（ステップＳＴ２２）。すると携帯電話機４００の非接触型ＩＣカード４８０と、ＰＯＳ端末１００との間で、非接触型ＩＣカードリーダ／ライタ２００を介して非接触型ＩＣカード４８０の残金データを含むデータが授受され（ステップＳＴ２３）、ＰＯＳ端末１００で非接触型ＩＣカード４８０が認証される（ステップＳＴ１４）。
【００２９】
そして、非接触型ＩＣカードリーダ／ライタ２００から購入された商品についての請求金額データが非接触型ＩＣカード４８０に送信され（ステップＳＴ１５）、非接触型ＩＣカード４８０では、請求金額データを受け、残金を減算処理（ステップＳＴ２４）して、消費通常の課金処理は終了する（ステップＳＴ１６）。
【００３０】
課金処理が終了すると、ＰＯＳ端末１００において、広告決定部１５０は、購入された商品、購入した客種、購入された時期等に基づいて広告データ格納部１３０から広告を選択し（ステップＳＴ１７）、選択した広告データと共にアプリケーション格納部１４０に格納されたアプリケーションを携帯電話機４００に送信する（ステップＳＴ１８）。これにより、ＰＯＳ端末１００側の処理は終了する。尚、このＰＯＳ端末１００における広告データ等の送信処理は、携帯電話機に広告データ取得部４４０、アプリケーション取得部４５０、アプリケーション実行部４６０が装備されているかどうかにかかわらず、非接触型ＩＣカードが携帯電話機に格納されているかどうかにかかわらず実行される。
【００３１】
そして、携帯電話機４００では、広告データ取得部４４０で広告データを取得し、アプリケーション取得部４５０でアプリケーションを受信し（ステップＳＴ２５）、格納しておき、適宜、例えば経歴の表示をきっかけとして、アプリケーション実行部４６０が広告データに基づいてアプリケーションを実行し、表示データを生成し、この表示データを表示制御部４２０で表示部４１０に表示させる（ステップＳＴ２６）。
【００３２】
図５は携帯電話の表示部の表示例を示す模式図である。この例では、表示部４１０には、電子マネーの使用履歴表示４１１と、広告表示４１２が表示される。尚、この例では、使用履歴表示４１１と広告表示４１２とを同一の画面に表示しているが、広告表示４１２を次画面に表示することができる。また、広告表示は静止画に限らず動画とすることができる他、携帯電話機能部４７０に配置されているスピーカ（図示していない）から音声を出力させるようにしてもよい。
【００３３】
尚、この広告の表示は、上記経歴の表示時に限らず、残金表示の際、使用者の指定により随時行わせることができる。また、広告データ、及びアプリケーションは随時消去することができるものとする。
【００３４】
尚、広告の内容は、関連商品の広告とすることはもちろん、次回決済時における関連商品の割引情報、及び、優待ポイント付与情報を含む優待情報とすることができる。このように優待情報とすると、携帯電話機４００の非接触型ＩＣカード４８０による電子マネーの使用時に広告データの取得ソフトウェアの実行を促進することができる。
【００３５】
尚、上記例では、広告データ取得部４４０及びアプリケーション取得部４５０のデータ取得に際してはカード通信部４８３を使用する場合について説明したが、独自の通信部を備えるようにしてもよい。この場合には、ＰＯＳ端末１００にも、広告データ及びアプリケーション通信用の通信部を配置する。
【図面の簡単な説明】
【００３６】
【図１】広告配信方法が適用されるＰＯＳシステムを示すブロック図である。
【図２】ＰＯＳ端末の構成を非接触型ＩＣカードリーダ／ライタ及び店舗サーバと共に示すブロック図である。
【図３】携帯電話機の構成を示すブロック図である。
【図４】広告配信方法におけるＰＯＳ端末と携帯電話機での処理を示すフローチャートである。
【図５】携帯電話機の表示部の表示例を示す模式図である。
【符号の説明】
【００３７】
１００  ＰＯＳ端末、１２０  電子マネー決済処理部、１３０  広告データ格納部、１４０  アプリケーション格納部、１５０  広告決定部、１６０  データ送出部、２００  非接触型ＩＣカードリーダ／ライタ、４００  携帯電話機、４１０  表示部（出力部）４４０  広告データ取得部、４５０  アプリケーション取得部、４６０  アプリケーション実行部、４８０  非接触型ＩＣカード
【図１】
2009015662.tif 000003
【図２】
2009015662.tif 000004
【図３】
2009015662.tif 000005
【図４】
2009015662.tif 000006
【図５】
2009015662.tif 000007